(57)【要約】  【課題】支持体に傷を付けることを防止することができる共に、塗布幅の調整を容易に行うことができる、エクストルージョン型ヘッド等を提供することを課題とする。  【解決手段】エクストルージョン型塗布ヘッド３は、塗料放出口２１が設けられたエクストルージョンダイ９と、塗料放出口に塗料を供給するスリット１９と、該ダイの塗布幅方向の両端部に設けられた一対の側板１１ａ、１１ｂと、塗布幅方向の両端部に着脱可能に挿入された一対の塗布幅規制板１２ａ、１２ｂとを備える。該ダイの先端は、塗布幅方向の中央部において塗布基準面ＡＢに沿って延長する平坦部２３と、塗布幅方向の両端部において塗布基準面から離れるように傾斜した傾斜部２５ａ、２５ｂとを有する。一対の塗布幅規制板の先端は、塗布幅方向の両端部において塗布基準面から離れるように傾斜した傾斜部２９を有する。【選択図】      図３
2006122741.tif 000002
【特許請求の範囲】
【請求項１】
塗料を支持体に塗布するエクストルージョン型塗布ヘッドであって、
塗料放出口が設けられたエクストルージョンダイと、
前記塗料放出口に塗料を供給する塗料搬送通路と、
前記エクストルージョンダイの塗布幅方向の両端部に設けられた一対の側板と、
塗料搬送通路の塗布幅方向の両端部に着脱可能に挿入された一対の塗布幅規制板とを備え、
前記エクストルージョンダイの先端は、塗布幅方向の中央部において塗布基準面に沿って延長する平坦部と、塗布幅方向の両端部において塗布基準面から離れるように形成された離隔部とを有し、
前記一対の塗布幅規制板の先端は、塗布幅方向の両端部において塗布基準面から離れるように形成された離隔部を有する、
ことを特徴とするエクストルージョン型塗布ヘッド。
【請求項２】
前記一対の塗布幅規制板の塗布幅規制端は、前記エクストルージョンダイの前記平坦部よりも、塗布幅方向において内側に位置していること特徴とする請求項１に記載のエクストルージョン型塗布ヘッド。
【請求項３】
前記一対の塗布幅規制板は、前記エクストルージョンダイの前記離隔部から外側に突出している部分を有することを特徴とする請求項１又は２に記載のエクストルージョン型塗布ヘッド。
【請求項４】
前記一対の塗布幅規制板は、樹脂によって構成されている請求項１乃至３のいずれか一項に記載のエクストルージョン型塗布ヘッド。
【請求項５】
エクストルージョン型塗布ヘッドと、
支持体と、
無機粉末を含む塗料であって、前記エクストルージョン型塗布ヘッドによって前記支持体に塗布される塗料とを備え、
前記エクストルージョン型塗布ヘッドは、請求項１乃至４のいずれか一項に記載されたものである、
エクストルージョン型塗布装置。
【発明の詳細な説明】
【技術分野】
【０００１】
本発明は、エクストルージョン型塗布ヘッドに関するものである。
【背景技術】
【０００２】
従来より、流動性のある塗料を支持体の表面に塗布する技術として、エクストルージョン型塗布装置を用いたものがある（特許文献１参照）。エクストルージョン型塗布装置は、エクストルージョンダイの内部に、塗料を一時的に蓄える塗料溜まりを有する。塗料溜まりには、スリットの上流端が接続されており、スリットの下流端は、エクストルージョンダイの先端部に塗料放出口として開口されている。このような構成において、塗料溜まりの塗料に所定の圧力が付与されると、塗料はスリットを介して塗料放出口から押し出され、先端部に対面する支持体に塗布される。
【０００３】
また、特許文献１のエクストルージョンダイにおいては、ダイの両側に取り付けられた側板先端部に、外側ほど支持体に接近する向きの逆テーパが形成されており、それによって、塗膜の両端部に大きな薄膜部が形成されることを防止していた。
【特許文献１】特開２００３−８０１４６号公報
【発明の開示】
【発明が解決しようとする課題】
【０００４】
エクストルージョン型塗布装置を用いて支持体に対して塗膜を形成する場合、図５の（ａ）に示されるように、塗膜５１の端縁をきれいに仕上げるために塗膜５１の両端５３は支持体５５の両端５７よりも内側で終端させていた。これは多層の積層を行う場合も同様で、後に積層される膜ほど塗布幅を狭くし塗膜両端が内側で終端するようにしていた。
【０００５】
しかしながら、上記のように後に積層される膜ほど塗布幅を狭くしていく場合、図５の（ｂ）に示されるように、両端に存在する非塗布領域が湾曲してエクストルージョン型塗布ヘッド５９に干渉し、塗膜５１や支持体５５に傷を付けてしまうことがあった。
【０００６】
さらに、積層の進行に応じて塗布幅を変更しなければならない問題もある。
【０００７】
また、特許文献１のエクストルージョンダイにおいては、ダイの両側に側板が固定されしかも逆テーパが付されていたため、塗布幅を変更させていく塗布には対応することが難しく、また、両端に非塗布領域が存在する場合に傷の発生を防止することも困難であった。
【０００８】
本発明は、このような問題に鑑みてなされたものであり、支持体に傷を付けることを防止することができる共に、塗布幅の調整を容易に行うことができる、エクストルージョン型塗布ヘッド等を提供することを目的とする。
【課題を解決するための手段】
【０００９】
上述した課題を解決するため、本発明は、塗料を支持体に塗布するエクストルージョン型塗布ヘッドであって、塗料放出口が設けられたエクストルージョンダイと、前記塗料放出口に塗料を供給する塗料搬送通路と、前記エクストルージョンダイの塗布幅方向の両端部に設けられた一対の側板と、塗料搬送通路の塗布幅方向の両端部に着脱可能に挿入された一対の塗布幅規制板とを備え、前記エクストルージョンダイの先端は、塗布幅方向の中央部において塗布基準面に沿って延長する平坦部と、塗布幅方向の両端部において塗布基準面から離れるように形成された離隔部とを有し、前記一対の塗布幅規制板の先端は、塗布幅方向の両端部において塗布基準面から離れるように形成された離隔部を有することを特徴とする。
【００１０】
好適には、前記一対の塗布幅規制板の塗布幅規制端は、前記エクストルージョンダイの前記平坦部よりも、塗布幅方向において内側に位置している。
【００１１】
前記一対の塗布幅規制板は、前記エクストルージョンダイの前記離隔部から外側に突出している部分を有していると好適である。
【００１２】
前記一対の塗布幅規制板は、樹脂によって構成されていてもよい。
【００１３】
また、同課題を解決するため、本発明は、エクストルージョン型塗布装置も提供する。エクストルージョン型塗布装置は、エクストルージョン型塗布ヘッドと、支持体と、無機粉末を含む塗料であって、前記エクストルージョン型塗布ヘッドによって前記支持体に塗布される塗料とを備え、前記エクストルージョン型塗布ヘッドは、上述した本発明のエクストルージョン型塗布ヘッドの構成を有する。
【発明の効果】
【００１４】
上述した本発明によれば、支持体に傷を付けることを防止することができる共に、塗布幅の調整を容易に行うことができる。
【００１５】
また、一対の塗布幅規制板の塗布幅規制端が、前記エクストルージョンダイの前記平坦部よりも、塗布幅方向において内側に位置している場合、塗布幅の外側に平坦部が部分的に残るため、塗料がエクストルージョンダイの一対の離隔部に溢れ出すことを防止できると共に、塗膜の端縁を支持体の進行方向に沿ってまっすぐ形成し、塗布幅を安定化させることができる。
【００１６】
また、一対の塗布幅規制板が、前記エクストルージョンダイの前記離隔部から外側に突出している部分を有している場合、使用者はかかる突出部分をつまんで簡単に塗布幅規制板の着脱・微調整を行うことができる。よって、メンテナンス時や塗布幅変更のための微調整時に非常に便利である。
【００１７】
一対の塗布幅規制板が、樹脂によって構成されている場合、塗布幅規制板を良好な塗料封止効果及び着脱性を確保するような厚みに加工することが容易に行える。
【００１８】
本発明の他の特徴及びそれによる作用効果は、添付図面を参照し、実施の形態によって更に詳しく説明する。
【発明を実施するための最良の形態】
【００１９】
以下、この発明に係るエクストルージョン型塗布ヘッド及びそれを備えたエクストルージョン型塗布装置を、磁気テープのコーティング工程に適用した場合の実施の形態として、添付図面に基づいて説明する。なお、図中、同一符号は同一又は対応部分を示すものとする。
【００２０】
図１はエクストルージョン型塗布ヘッドの概要を示す斜視図、図２及び図３はエクストルージョン型塗布ヘッドの縦断面図及び側面図、図４は塗布態様を示す図である。
【００２１】
図４に示されるように、エクストルージョン型塗布装置１は、エクストルージョン型塗布ヘッド３と、支持体５と、塗料７とを備えている。支持体５としては、本実施の形態ではいわゆるＰＥＴフィルムが使用されている。また、塗料７としては、本実施の形態では磁気塗料またはセラミック塗料が用いられるが、磁性粉末、誘電体粉末、圧電粉末などの無機粉末に、バインダ、可塑剤及び溶剤などを混合させペースト化したものを広く用いることができる。
【００２２】
次に、エクストルージョン型塗布ヘッドの詳細について説明する。図１、図２及び図３に示されるように、エクストルージョン型塗布ヘッド３は、エクストルージョンダイ９と、塗料搬送通路１０と、一対の側板１１ａ、１１ｂと、一対の塗布幅規制板１２ａ、１２ｂとを有している。エクストルージョンダイ９は、フロントエッジ１３及びバックエッジ１５を備えている。なお、本明細書では、塗料７が塗布され延長されていく側をバック（後）方向、その逆側をフロント（前）方向として説明を行う。
【００２３】
塗料搬送通路１０は、塗料溜まり１７と、スリット１９とを備えている。塗料溜まり１７は、塗料７を一時的に蓄える空間であり、本実施の形態では、バックエッジ１５に形成された凹部により構成されている。また、フロントエッジ１３及びバックエッジ１５の先端部の間には、塗料放出口２１が設けられている。塗料放出口２１及び塗料溜まり１７は、フロントエッジ１３及びバックエッジ１５の合わせ面に画定されたスリット１９によって連通される。スリット１９の厚みｔは、１００μｍに設定されている。
【００２４】
図３に最もよく示されているように、エクストルージョンダイ９の先端は、後述する塗布幅方向の中央部において塗布基準面ＡＢに沿って延長する平坦部２３と、塗布幅方向の両端部において塗布基準面ＡＢに対して離れるように傾斜する一対の傾斜部（離隔部）２５ａ、２５ｂとを有する。一対の傾斜部２５ａ、２５ｂはそれぞれ、塗布幅方向の外側の位置ほど塗布基準面ＡＢから離れる向きに傾斜している。また、その傾斜角度θは、１〜４５度の範囲が好適であり、本実施の形態では、４５度に設定されている。この角度があまりに大きい場合には、塗布時、エクストルージョンダイ９の先端部で塗布幅規制板１２ａ、１２ｂの先端に過大な液圧が作用することとなり塗料封止上、好ましくない。
【００２５】
一対の側板１１ａ、１１ｂは、エクストルージョンダイ９の塗布幅方向の両端部に取り付けられている。これによって、フロントエッジ１３及びバックエッジ１５の合わせ面が、一対の側板１１ａ、１１ｂによって左右から覆われている。
【００２６】
一対の塗布幅規制板１２ａ、１２ｂは、樹脂（本実施の形態ではＰＥＴフィルム）によって構成されており、スリット１９内の塗布幅方向の両端部に着脱可能に挿入されている。また、一対の塗布幅規制板１２ａ、１２ｂの厚みｒは、スリット１９の厚みｔに対して、０＜ｒ≦１．０３ｔの範囲に設定されていると好適である。
【００２７】
また、一対の塗布幅規制板１２ａ、１２ｂの先端部は、挿入時、エクストルージョンダイ９の平坦部２３と整列可能な平坦部２７と、塗布基準面ＡＢに対して離れるように傾斜する傾斜部（離隔部）２９とを有する。傾斜部２９は、塗布幅方向の外側の位置ほど塗布基準面ＡＢから離れる向きに傾斜しており、その傾斜角度は傾斜部２５ａ、２５ｂよりも小さい角度に設定されている。これにより、傾斜部２９には、挿入時、エクストルージョンダイ９の一対の傾斜部２５ａ、２５ｂから外側に突出するタブ部３１が存在する。
【００２８】
各平坦部２７の延長幅Ｆは、本実施の形態では、０．５ｍｍに設定されている。挿入状態では、一対の塗布幅規制板１２ａ、１２ｂの塗布幅規制端３３は、エクストルージョンダイ９の平坦部２３の終端よりも、塗布幅方向でみた内側に配置されている。塗布幅ＡＷは、一対の塗布幅規制端３３の間隔によって規定されている。
【００２９】
次に、以上のような構成を有するエクストルージョン型塗布装置１による塗布態様について説明する。図４に示されるように、エクストルージョン型塗布ヘッド３の先端部に対して所定間隔をもって支持体５が配置される。支持体５は、図中矢印で示されるようにエクストルージョン型塗布ヘッド３に対して進行する。
【００３０】
このように進行する支持体５に対して、エクストルージョン型塗布ヘッド３内では、図示しない塗料供給路を介して塗料７が塗料溜まり１７に圧送され、塗料溜まり１７内の塗料７は、スリット１９を介して塗料放出口２１から吐出される。吐出された塗料７は、エクストルージョン型塗布ヘッド３の先端部と支持体５の表面との間に配置されるが、支持体５は上記の方向に移動されているため、塗料放出口２１の後方側で塗膜として塗布される。また、塗料７の塗布幅ＡＷは、一対の塗布幅規制板１２ａ、１２ｂの間隔によって好適な幅となっている。
【００３１】
ここで、近年の製品の多層小型化且つ精密化に起因し、塗料７の塗布は支持体５に対して多層に行われ、且つ、塗膜のエッジをきれいに仕上げる必要があった（例えば、ペースト時４〜５μｍ、乾燥後１μｍの塗膜）。その場合には、塗膜の積層が進むにつれてより塗布幅ＡＷを狭めるようにする。このとき、本実施の形態では、塗布幅ＡＷを一対の塗布幅規制板１２ａ、１２ｂによって規制し、且つ、それら一対の塗布幅規制板１２ａ、１２ｂが着脱可能に設けられているため、塗布幅ＡＷの微調整を簡単に行うことができる。特に、一対の塗布幅規制板１２ａ、１２ｂの厚みｒが０＜ｒ≦１．０３ｔの範囲に設定されている場合には、所望の塗料封止効果を得ながらも好適な着脱性を確保できた。
【００３２】
したがって、エクストルージョン型塗布ヘッド３全体を分解したり、あるいは、一対の塗布幅規制板の間隔が異なる複数のエクストルージョン型塗布ヘッドを用意したりすることなく、積層の進行に応じて塗布幅ＡＷを変更する多層の塗布が容易に実施することができる。
【００３３】
また、一対の塗布幅規制板１２ａ、１２ｂは樹脂から構成されているため、良好な塗料封止効果及び着脱性を確保するような上記厚みへの加工も容易である。また、一対の塗布幅規制板１２ａ、１２ｂの厚みｒをｒ≦１．０３ｔの範囲に設定することにより、着脱時にスリット１９の厚みを拡げてしまったり、着脱の容易性を損なったりすることを回避できる。また、一対の塗布幅規制板１２ａ、１２ｂにはエクストルージョンダイ９よりも外側に突出したタブ部３１があるため、使用者はタブ部３１をつまんで簡単に塗布幅規制板１２ａ、１２ｂの着脱・微調整することができる。よって、メンテナンス時や塗布幅変更のための微調整時に非常に便利である。
【００３４】
さらに、塗膜の端縁をきれいに仕上げるためには、後に塗布・積層される塗膜ほど塗布幅ＡＷを狭くすることが有効であるが、この場合には、支持体５や既に形成された塗膜の非塗布領域が撓んでエクストルージョンダイ９と干渉する恐れがあった。しかしながら、本実施の形態では、エクストルージョンダイ９における塗布幅方向の両端部に、塗布基準面ＡＢに対して離れるように傾斜する一対の傾斜部２５ａ、２５ｂが設けられているため、エクストルージョンダイ９が、撓んだ支持体５や塗膜に干渉してそれらに傷を付けてしまうことを防止することができる。よって、磁気テープ特性におけるスジ不良を大幅に低減することができる。
【００３５】
また、エクストルージョンダイにおける塗布幅ＡＷの直近に塗布基準面ＡＢから離れる傾斜を設けた場合、塗膜の端縁が蛇行状になったり、塗料が傾斜に沿って溢れ出たりする恐れがある。しかしながら、本実施の形態では、一対の塗布幅規制板１２ａ、１２ｂの塗布幅規制端３３をエクストルージョンダイ９の平坦部２３の終端よりも内側に配置し、塗布幅ＡＷの外側に平坦部２３を部分的に残している。このため、塗料７がエクストルージョンダイ９の一対の傾斜部２５ａ、２５ｂに溢れ出すことを防止できると共に、塗膜の端縁を支持体５進行方向に沿ってまっすぐ形成し、塗布幅を安定化させることができる。
【００３６】
以上、好ましい実施の形態を参照して本発明の内容を具体的に説明したが、本発明の基本的技術思想及び教示に基づいて、当業者であれば、種々の改変態様を採り得ることは自明である。
【００３７】
例えば、上記実施の形態では、エクストルージョン型塗布装置を磁気テープのコーティング工程に適用した場合として説明したが、本発明はこれに限定されるものではなく、積層電子部品の製造において、ペースト状の塗料を塗布する工程に適用することも可能である。
【００３８】
また、エクストルージョンダイや塗料搬送通路は、一対のエッジを合わせて構成されていることには限定されず、したがって一部材あるいは三つ以上の部材を組み合わせて構成することも可能である。
【００３９】
また、一対の塗布幅規制板は、着脱容易性・塗料封止性の観点からは樹脂からなるものが好ましいが、本発明はそれに限定されるものではなく、例えば金属板など他の材料から構成されていてもよい。
【図面の簡単な説明】
【００４０】
【図１】本発明の実施の形態に係るエクストルージョン型塗布ヘッドの構成を示す図である。
【図２】エクストルージョン型塗布ヘッドの縦断面図である。
【図３】エクストルージョン型塗布ヘッドの側面図である。
【図４】エクストルージョン型塗布装置による塗布態様を示す図である。
【図５】（ａ）は、塗布幅を変更した塗布態様を模式的に示す図、（ｂ）は、（ａ）の態様において支持体や塗膜の端部がヘッドに干渉する状態を模式的に示す図である。
【符号の説明】
【００４１】
１                      エクストルージョン型塗布装置
３                      エクストルージョン型塗布ヘッド
５                      支持体
７                      塗料
９                      エクストルージョンダイ
１１ａ、１１ｂ          側板
１２ａ、１２ｂ          塗布幅規制板
１３                    フロントエッジ
１９                    スリット（塗料搬送通路）
２１                    塗料放出口
２３                    平坦部
２５ａ、２５ｂ          傾斜部（離隔部）
２９                    傾斜部（離隔部）
３１                    タブ部
３３                    塗布幅規制端
【図１】
2006122741.tif 000003
【図２】
2006122741.tif 000004
【図３】
2006122741.tif 000005
【図４】
2006122741.tif 000006
【図５】
2006122741.tif 000007